(57)【特許請求の範囲】
【請求項１】
通信網を介して外部装置へデータ送信処理を行う送信手段と、
入力された送信先情報を記憶する際、前記送信先情報と前記送信先情報の入力を行った登録者情報とを対応付けて記憶する記憶処理手段と、
前記データ送信処理で通信エラーを検出した際、前記送信先情報と前記登録者情報を含むエラー画面を表示する表示処理手段を備えることを特徴とする通信装置。
【請求項２】
前記記憶処理手段は、
前記送信先情報を記憶した登録日時を、前記送信先情報に対応付けて記憶し、
前記表示処理手段は、
前記登録日時を前記エラー画面に表示することを特徴とする請求項１に記載の通信装置。
【請求項３】
通信網を介して外部装置へデータ送信処理を行う送信手段と記憶手段を有する通信装置で実行される通信プログラムであって、
入力された送信先情報を記憶する際、前記送信先情報と前記送信先情報の入力を行った登録者情報とを対応付けて前記記憶手段に記憶するステップと、
前記データ送信処理で通信エラーを検出した際、前記送信先情報と前記登録者情報を含むエラー画面を表示するステップと、
を有することを特徴とする通信プログラム。
【発明の詳細な説明】
【技術分野】
【０００１】
本発明は、データ送信を行う通信装置に関し、特にファクシミリ又はファクシミリの機能を備えた複合機等の通信装置に関する。
【背景技術】
【０００２】
従来のデータ送信を行う通信装置、例えばファクシミリ又はファクシミリの機能を備えた複合機等の通信装置において、画像データを送信するための宛先情報として、電話番号又はメールアドレス等を記憶していることは知られている。該通信装置では、記憶されている複数の宛先情報の中から一の宛先を指定する操作によって、指定された宛先に画像データを送信することが可能になっている。
【０００３】
しかしながら、記憶されている宛先側が、新たな通信キャリアと契約する場合がある。このような場合、記憶されている宛先情報を更新しないと、所望する宛先に画像データを送信できない状況に陥ってしまう。
【０００４】
このような課題に対して、特許文献１には、図１４に示す通信機器が記載されている。該通信機器では、登録名と該登録名に対応付けられたアドレス情報と複数記憶するメモリ５０２と、ＬＣＤ表示部５２０と、操作部５１０と、外部装置と通信を行う通信部５５０と、制御部５０１とを備えている。また、制御部５０１は、アドレス情報に対する発信処理を行った場合、該発信処理がエラーになったときアドレス情報が無効であることをメモリ５０２に記憶させる。そして、制御部５０１は、無効であるアドレス情報に対応付けられた登録名を表示させる場合、登録名に対応付けられたアドレス情報が無効であることをメモリ５０２に基づいてＬＣＤ表示部５２０に表示させる。
【先行技術文献】
【特許文献】
【０００５】
【特許文献１】特開２０１１−２０５５８４号公報
【発明の概要】
【発明が解決しようとする課題】
【０００６】
特許文献１に開示された通信機器において、記憶されている宛先情報が無効であることに気づいたとき、例えば代表電話に電話をかけて問い合わせる等によって新しい宛先情報を入手しようと試みる場合が多い。しかしながら、装置を複数人で共有して使用している場合、画像データを送信しようとする操作者が、宛先情報を装置内に記憶させる登録操作を行っていない場合がある。つまり、宛先情報が無効であると気づいたとしても、新しい宛先情報を入手するために必要な情報が入手できない場合があった。これにより、操作者が、無効となった宛先情報に対する新しい宛先情報を入手することが困難になるという課題があった。
【０００７】
本発明は、このような課題に鑑みてなされたものであり、その目的は、画像データを送信しようとする操作者に対し、無効となった宛先情報に対する新しい宛先情報の入手を容易なものにすることにある。
【課題を解決するための手段】
【０００８】
本発明の通信装置は、通信網を介して外部装置へデータ送信処理を行う送信手段と、入力された送信先情報を記憶する際、送信先情報と該送信先情報の入力を行った登録者情報を対応付けて記憶する記憶処理手段と、データ送信処理で通信エラーを検出した際、送信先情報と登録者情報を含むエラー画面を表示する表示処理手段を備えることを特徴とする。
【０００９】
好ましくは、記憶処理手段は、送信先情報を記憶した登録日時を、送信先情報に対応付けて記憶し、表示処理手段は、登録日時を前記エラー画面に表示することを特徴とする。
【００１０】
さらに、本発明の通信プログラムは、通信網を介して外部装置へデータ送信処理を行う送信手段と記憶手段を有する通信装置で実行される通信プログラムであって、入力された送信先情報を記憶する際、送信先情報と該送信先情報の入力を行った登録者情報を対応付けて記憶手段に記憶するステップと、データ送信処理で通信エラーを検出した際、送信先情報と登録者情報を含むエラー画面を表示するステップとを有することを特徴とする。
【発明の効果】
【００１１】
本発明によると、無効となった宛先情報に対する新しい宛先情報を入手することが容易になる。
【図面の簡単な説明】
【００１２】
【図１】本発明の一実施形態である通信装置１のブロック図である。
【図２】操作者候補記憶部２１に記憶される操作者候補情報のデータ内容を例示する図である。
【図３】宛先情報記憶部２２に記憶される宛先情報のデータ内容を例示する図である。
【図４】画像送信処理を行う際に表示する送信画面の一例を示す図である。
【図５】通信エラーが発生した際に表示するエラー画面の一例を示す図である。
【図６】主処理部１１の処理手順を示すフローチャートである。
【図７】操作検出部１２の処理手順を示すフローチャートである。
【図８】操作者決定部１３の処理手順を示すフローチャートである。
【図９】新規登録部１５１の処理手順を示すフローチャートである。
【図１０】更新登録部１５２の処理手順を示すフローチャートである。
【図１１】画像送信部１６の処理手順を示すフローチャートである。
【図１２】エラー確認部１７２の処理手順を示すフローチャートである。
【図１３】通信処理部１９の処理手順を示すフローチャートである。
【図１４】従来の通信機器の構成を示す図である。
【発明を実施するための形態】
【００１３】
以下、図面を参照しつつ、本発明の実施の形態について説明する。なお、処理内容の説明においては、「ステップ」を「Ｓ」で表し、各々の処理を数字で区別している。
【００１４】
図１は、本発明の一実施形態である通信装置１のブロック図を示している。該通信装置１は、表示画面に応じる操作を受け付けるための入力手段３０、エラー情報等の各種情報を表示するための表示手段３１、日時を計時するための計時手段３２、原稿紙の画像を読み取るための画像読取手段４０及び通信網８０を介して外部装置９０と通信を行うための通信手段５０を有している。さらに、通信装置１は、上述した各手段に対する処理を行うための処理手段１０、該処理手段１０における処理を実行するための情報が記憶されている記憶手段２０を有している。
【００１５】
ここで、入力手段３０としては、通信装置１の機能を実行させるための操作ボタン等の物理ボタン又はタッチ操作によって表示画面の任意の位置を指定できるタッチパネルが用いられる。また、表示手段３１には、例えば小型の液晶ディスプレイが用いられる。
【００１６】
通信手段５０の具体的な構成は、外部装置９０と通信接続するために介在する通信網８０の種類又は通信システム等によって異なり、例えば電話回線を介在して画像情報を送受信する場合には、ＮＣＵ（Ｎｅｔｗｏｒｋ  Ｃｏｎｔｒｏｌ  Ｕｎｉｔ）等によって構成されている。
【００１７】
記憶手段２０は、操作者候補記憶部２１、宛先情報記憶部２２、画面情報記憶部２３及び各種変数の値を記憶する変数情報記憶部２４を有している。
【００１８】
ここで、操作者候補記憶部２１には、通信装置１を用いて画像送信を行うことができる操作者候補情報が記憶されている。また、宛先情報記憶部２２には、通信網８０における外部装置９０を特定するための識別情報を含む宛先情報が記憶されている。なお、識別情報の形態は、通信網８０の種類又は通信システム等によって異なり、例えば電話番号、メールアドレス等の形態となる。さらに、画面情報記憶部２３には、通信エラーが発生した際に表示するエラー画面等が記憶されている。
【００１９】
処理手段１０は、上述した各手段に対する処理を行うためのプログラムを読み出し実行するためのＣＰＵ（Ｃｅｎｔｒａｌ  Ｐｒｏｃｅｓｓｉｎｇ  Ｕｎｉｔ）で、主処理部１１、操作検出部１２、操作者決定部１３、新規登録部１５１及び更新登録部１５２からなる宛先情報記憶処理部１５、画像送信部１６、エラー確認部１７２を有する確認画面表示処理部１７並びに通信処理部１９のソフトウェア各部のプログラムを読み出し実行する。つまり、これらのソフトウェア各部は、処理手段１０の一部の手段として機能する。
【００２０】
ここで、主処理部１１は、通信装置１の電源投入がなされた際に実行が開始され、ソフトウェア各部を実行処理することによって、画像読取手段４０で読み取られた画像を、操作者が指定した送信先に送信する処理を行う処理部である。
【００２１】
操作検出部１２は、表示手段３１に表示している画面に対する操作者の入力手段３０の操作を検出する処理を行う処理部である。
【００２２】
操作者決定部１３は、通信装置１を利用して画像送信を行う操作者を決定する処理を行う処理部である。
【００２３】
宛先情報記憶処理部１５は、操作者が入力した宛先情報を宛先情報記憶部２２に記憶する処理を行う処理部で、新規の宛先を記憶するための新規登録部１５１と宛先情報記憶部２２に記憶されている宛先情報を変更するための更新登録部１５２から構成されている。
【００２４】
画像送信部１６は、画像読取手段４０によって原稿紙の画像を読み取り、操作者によって指定された送信先に送信する等の一連の画像送信処理を行う処理部である。
【００２５】
確認画面表示処理部１７は、操作者によって指定された送信先の宛先情報の確認を促す画面を表示する処理を行う処理部であり、画像送信処理で通信エラーを検出した際にエラー画面を表示して宛先情報の確認を促すエラー確認部１７２を有している。
【００２６】
通信処理部１９は、通信網を介して操作者によって指定された送信先の外部装置との間で、通信接続を行う等の一連の通信処理を行う処理を行う処理部である。
【００２７】
図２は、操作者候補記憶部２１に記憶される操作者候補情報のデータ内容を例示し、該操作者候補記憶部２１は、ｃ人分（ｃは自然数）の操作者名を記憶する記憶域Ｕ１〜Ｕｃを有している。
【００２８】
図３は、宛先情報記憶部２２に記憶される宛先情報のデータ内容を例示し、該宛先情報記憶部２２は、ｎ人分（ｎは自然数）の宛先情報を記憶する記憶域Ｍ１〜Ｍｎを有している。そして、各々の記憶域Ｍ１〜Ｍｎには、ＦＡＸ番号Ｄ１、名称Ｄ２、登録者Ｄ３及び登録日時Ｄ４の情報が記憶されている。ここで、宛先情報が記憶されていない記憶域には、ＦＡＸ番号Ｄ１、名称Ｄ２、登録者Ｄ３及び登録日時Ｄ４の各々が、ＮＵＬＬに設定されている。
【００２９】
ＦＡＸ番号Ｄ１は、通信網８０における外部装置９０を特定するための識別情報で、画像情報を送信する際に用いられる。
【００３０】
名称Ｄ２は、ＦＡＸ番号Ｄ１の相手を判別するために用いられる情報で、宛先情報記憶部２２に記憶されている宛先情報の一覧を表示する際に用いられる。
【００３１】
登録者Ｄ３は、ＦＡＸ番号Ｄ１及び名称Ｄ２の情報を入力し、宛先情報記憶部２２に記憶させる登録操作を行った登録者の情報である。また、登録日時Ｄ４は、宛先情報記憶部２２に記憶させる登録操作を行った日時情報である。
【００３２】
図４は、画像送信処理を行う際に表示する送信画面の一例を示している。図４に示すように、送信画面ＳＳは、通信装置１の操作を行っている操作者を表示するための表示域ＳＳ１、画像送信の実行を指示させるための情報を表示する表示域ＳＳ２、送信先の宛先情報を操作者に指定させるために、宛先情報記憶部２２に記憶されている宛先情報の一覧を表示するための表示域ＳＳ３、新たな宛先情報の新規登録を指示させるための情報を表示する表示域ＳＳ４及び指定している送信先の宛先情報を表示するための表示域ＳＳ５を有している。
【００３３】
つまり、画像送信の実行操作、送信先を指定する送信先指定操作及び新たな宛先情報の登録操作が操作検出部１２により検出できるように、送信画面ＳＳは構成されている。
【００３４】
図５は、通信エラーが発生した際に表示するエラー画面の一例を示している。図５に示すように、エラー画面ＥＳは、画像送信しようとした送信先の宛先、宛先情報の登録を行った登録者及び宛先情報の登録を行った登録日時を表示する表示域ＥＳ１を有している。
【００３５】
また、画像送信しようとした送信先の宛先情報の変更を指示させるための情報を表示する表示域ＥＳ２、画像送信の再送信を指示させるための情報を表示する表示域ＥＳ３及び画像送信の中止を指示させるための情報を表示する表示域ＥＳ４を有している。
【００３６】
つまり、指定している送信先の宛先情報を変更する変更操作、画像送信の再送信操作及び画像送信の中止操作が操作検出部１２により検出できるように、エラー画面ＥＳは構成されている。
【００３７】
このように、本発明の通信装置１では、通信エラーが発生した際、宛先情報の登録操作を行った登録者及び宛先情報の登録を行った登録日時が表示される。このことから、例えば、記憶されている宛先情報に誤りがないか否かを該宛先情報の登録者に確認することができる。したがって、新しい宛先情報の入手が容易になることから、記憶されている宛先情報が無効のまま放置されにくくなる。
【００３８】
図６は、処理手段１０に読み出し実行される主処理部１１の処理内容を示し、以下に説明する。
【００３９】
先ず、操作者決定部１３を実行し、通信装置１の操作者を決定する（Ｓ１０１）。ここで、該処理によって決定された操作者情報は変数ＯＰに設定される。
【００４０】
Ｓ１０１の処理に続いて、送信先の宛先情報を設定するための変数ＳＡを初期化する（Ｓ１０２）。
【００４１】
Ｓ１０２の処理に続いて、図４によって前述した画像送信画面を表示する（Ｓ１０３）。ここで、該処理は、変数ＳＡに設定されている送信先の宛先情報を、図４で示される表示域ＳＳ５に表示する処理を含んでいる。
【００４２】
Ｓ１０３の処理に続いて、操作検出部１２を実行し、Ｓ１０３で表示した画像送信画面に対する操作者応答の操作コードを取得する（Ｓ１０４）。
【００４３】
Ｓ１０４の処理に続いて、取得された操作コードが中止操作を示す操作コードか否かを判定し（Ｓ１０５）、中止操作を示す操作コードであった場合には、通信装置１の操作者を再決定するために、上述したＳ１０１に移行する。
【００４４】
Ｓ１０５の判定で、中止操作を示す操作コードでなかった場合には、取得された操作コードが実行操作を示す操作コードか否かを判定し（Ｓ１０６）、実行操作を示す操作コードであった場合には、画像送信部１６を実行し（Ｓ１０７）、新たな送信先を指定させるために、上述したＳ１０２に移行する。
【００４５】
Ｓ１０６の判定で、実行操作を示す操作コードでなかった場合には、取得された操作コードが送信先を指定する送信先指定操作を示す操作コードか否かを判定し（Ｓ１０８）、送信先指定操作を示す操作コードであった場合には、指定された宛先情報を変数ＳＡに設定して（Ｓ１０９）、画像送信画面を再表示するために、上述したＳ１０３に移行する。
【００４６】
Ｓ１０８の判定で、送信先指定操作を示す操作コードでなかった場合には、新たな宛先情報の登録操作を示す操作コードが検出されたものとして、新規登録部１５１を実行し（Ｓ１１０）、画像送信画面を再表示するために、上述したＳ１０３に移行する。
【００４７】
図７は、処理手段１０に読み出し実行される操作検出部１２の処理内容を示し、以下に説明する。
【００４８】
先ず、計時手段３２による計時を開始させる（Ｓ２０１）。
【００４９】
Ｓ２０１の処理に続いて、入力手段３０に対する操作者の操作が検出されたか否かを判定する（Ｓ２０２）。該判定において、操作者の操作が検出されなかった場合は、Ｓ２０１の計時の開始から一定時間経過したか否かを判定し（Ｓ２０４）、該判定において、一定時間経過している場合には、中止操作が行われた場合と同じ操作コードを出力して（Ｓ２０５）、処理を終了する。このように、本発明の通信装置１では、操作者の操作が一定時間検出されなかった場合に、中止操作が行なわれた場合と同じ操作コードを出力する処理を行っている。該処理は、エラー画面等が表示された状態を操作者が解除せず放置した場合でも、他の利用者が通信装置１を利用することができるようにするための処理である。
【００５０】
また、Ｓ２０４の判定において、一定時間経過していないと判定した場合には、上述したＳ２０２の処理に移行する。
【００５１】
一方、Ｓ２０２の判定において、操作者の操作が検出された場合には、表示画面に対する操作位置に応じた操作コードを出力して（Ｓ２０３）、処理を終了する。
【００５２】
図８は、処理手段１０に読み出し実行される操作者決定部１３の処理内容を示し、以下に説明する。
【００５３】
先ず、操作者候補記憶部２１に記憶されている操作者候補の一覧を表示する（Ｓ３０１）。
【００５４】
Ｓ３０１の処理に続いて、Ｓ３０１で一覧表示した操作者候補情報の中から、利用者本人の操作者情報を選択させる（Ｓ３０２）。ここで、選択された操作者情報が利用者本人の情報であるか否かの認証を、予め記憶手段２０に記憶されたパスワード等によって行うものとしても構わない。
【００５５】
Ｓ３０２の処理に続いて、Ｓ３０２で選択された操作者情報を変数ＯＰに設定し（Ｓ３０３）、処理を終了する。
【００５６】
図９は、処理手段１０に読み出し実行される新規登録部１５１の処理内容を示し、以下に説明する。
【００５７】
先ず、宛先情報記憶部２２の宛先情報を記憶する記憶域Ｍ１〜Ｍｎの中から、未使用である空きメモリＭを検索する（Ｓ５０１）。
【００５８】
Ｓ５０１の処理に続いて、操作者によって、新規に登録する宛先情報のＦＡＸ番号を入力させ（Ｓ５０２）、入力されたＦＡＸ番号をメモリＭのＦＡＸ番号Ｄ１に設定する（Ｓ５０３）。
【００５９】
Ｓ５０３の処理に続いて、操作者によって、新規に登録する宛先情報の名称を入力させ（Ｓ５０４）、入力された名称をメモリＭの名称Ｄ２に設定する（Ｓ５０５）。
【００６０】
Ｓ５０５の処理に続いて、変数ＯＰに設定されている操作者情報をメモリＭの登録者Ｄ３に設定する（Ｓ５０６）。
【００６１】
Ｓ５０６の処理に続いて、計時手段３２によって現在日時ＤＴを取得し（Ｓ５０７）、取得した現在日時ＤＴをメモリＭの登録日時Ｄ４に設定する（Ｓ５０８）。
【００６２】
Ｓ５０８の処理に続いて、メモリＭに設定した宛先情報を、変数ＳＡに設定し（Ｓ５０９）、処理を終了する。
【００６３】
図１０は、処理手段１０に読み出し実行される更新登録部１５２の処理内容を示し、以下に説明する。
【００６４】
先ず、宛先情報記憶部２２に記憶されている宛先情報を記憶する記憶域Ｍ１〜Ｍｎの中から、変数ＳＡに設定されている送信先の宛先情報が記憶されているメモリＭを検索する（Ｓ５５１）。
【００６５】
Ｓ５５１の処理に続いて、操作者によって、更新登録する宛先情報のＦＡＸ番号を入力させ（Ｓ５５２）、入力されたＦＡＸ番号をメモリＭのＦＡＸ番号Ｄ１に設定する（Ｓ５５３）。
【００６６】
Ｓ５５３の処理に続いて、変数ＯＰに設定されている操作者情報をメモリＭの登録者Ｄ３に設定する（Ｓ５５４）。
【００６７】
Ｓ５５４の処理に続いて、計時手段３２によって現在日時ＤＴを取得し（Ｓ５５５）、取得した現在日時ＤＴをメモリＭの登録日時Ｄ４に設定する（Ｓ５５６）。
【００６８】
Ｓ５５６の処理に続いて、メモリＭに設定した宛先情報を、変数ＳＡに設定し（Ｓ５５７）、処理を終了する。
【００６９】
図１１は、処理手段１０に読み出し実行される画像送信部１６の処理内容を示し、以下に説明する。
【００７０】
先ず、送信先が既に指定しているか否かを判定し（Ｓ６０１）、指定されていない場合には、処理を終了する。ここで、送信先が既に指定されているか否かの判定は、変数ＳＡが初期化された状態のままに設定されているか否かで判定する。
【００７１】
Ｓ６０１の判定で、送信先が既に指定されている場合には、画像読取手段４０によって原稿紙の画像を読み取り（Ｓ６０２）、読み取られた画像を変数ＳＢＵＦに格納する（Ｓ６０３）。
【００７２】
Ｓ６０３の処理に続いて、通信処理部１９を実行し、変数ＳＡに設定されている送信先に、変数ＳＢＵＦに格納されている画像の送信を行う（Ｓ６０４）。
【００７３】
Ｓ６０４の処理に続いて、通信処理部１９の実行で通信エラーによって画像送信処理を中断したか否かを判定し（Ｓ６０５）、通信エラーが発生していない場合には、処理を終了する。
【００７４】
Ｓ６０５の判定で、通信エラーが発生している場合には、エラー確認部１７２を実行し、操作者に該通信エラーが発生した旨を通知するとともに、画像送信の中止を行うか等の該通信エラーに対する応答を操作者に選択させる（Ｓ６０６）。
【００７５】
Ｓ６０６の処理に続いて、通信エラーに対する操作者の応答が中止操作か否かを判定し（Ｓ６０７）、中止操作であると判定した場合には、処理を終了する。
【００７６】
一方、Ｓ６０７の判定で、中止操作でないと判定した場合には、変数ＳＡに設定されている送信先に、変数ＳＢＵＦに格納されている画像の再送信を行うために、上述したＳ６０４に移行する。
【００７７】
図１２は、処理手段１０に読み出し実行されるエラー確認部１７２の処理内容を示し、以下に説明する。
【００７８】
先ず、図５によって上述したエラー画面を表示する（Ｓ７５１）。ここで、該処理は、変数ＳＡに設定されているＦＡＸ番号Ｄ１、名称Ｄ２、登録者Ｄ３及び登録日時Ｄ４の各々の送信先の宛先情報を、図５で示される表示域ＥＳ１に表示する処理を含んでいる。
【００７９】
Ｓ７５１の処理に続いて、操作検出部１２を実行し、Ｓ７５１で表示したエラー画面に対する操作者応答の操作コードを取得する（Ｓ７５２）。
【００８０】
Ｓ７５２の処理に続いて、取得された操作コードが中止操作を示す操作コードか否かを判定し（Ｓ７５３）、中止操作を示す操作コードであった場合には、処理を終了する。
【００８１】
Ｓ７５３の判定で、中止操作を示す操作コードでなかった場合には、画像送信の再送信操作を示す操作コードか否かを判定し（Ｓ７５４）、再送信操作を示す操作コードであった場合には、処理を終了する。
【００８２】
Ｓ７５４の判定で、再送信操作を示す操作コードでなかった場合には、変数ＳＡに設定されている送信先の宛先情報を変更するために更新登録部１５２を実行し（Ｓ７５５）、処理を終了する。
【００８３】
図１３は、処理手段１０に読み出し実行される通信処理部１９の処理内容を示し、以下に説明する。
【００８４】
先ず、変数ＳＡのＦＡＸ番号Ｄ１の外部装置９０に発呼し、該外部装置９０と通信接続するための要求信号を、通信手段５０に対して出力する（Ｓ９０１）。
【００８５】
Ｓ９０１の処理に続いて、発呼処理を行った外部装置９０の回線が使用中である旨の信号が通信手段５０から出力されたか否かを判定し（Ｓ９０２）、該信号が出力されていると判定した場合には、一定時間待機した後（Ｓ９０３）、上述したＳ９０１に移行する。
【００８６】
Ｓ９０２の判定が、回線が使用中である旨の信号が出力されていないと判定した場合には、変数ＳＡのＦＡＸ番号Ｄ１が存在しない回線である旨の信号が通信手段５０から出力されたか否かを判定し（Ｓ９０４）、該信号が出力されていると判定した場合には、通信エラーが発生したものとして処理を終了する。
【００８７】
Ｓ９０４の判定が、存在しない回線である旨の信号が出力されていないと判定した場合には、通信接続している外部装置９０に画像送信の開始を示す信号を送信するための要求信号を、通信手段５０に対して出力する（Ｓ９０５）。
【００８８】
Ｓ９０５の処理に続いて、外部装置９０との通信接続が強制的に切断された旨の信号が通信手段５０から出力されたか否かを判定し（Ｓ９０６）、該信号が出力されたと判定した場合には、通信エラーが発生したものとして処理を終了する。
【００８９】
Ｓ９０６の判定が、通信接続が強制的に切断された旨の信号が出力されていないと判定した場合には、上述したＳ９０５に応答する応答信号が通信手段５０から出力されたか否かを判定し（Ｓ９０７）、該信号が出力されていないと判定した場合には、通信エラーが発生したものとして処理を終了する。
【００９０】
Ｓ９０７の判定が、応答信号が通信手段５０から出力されたと判定した場合には、通信接続している外部装置９０に、変数ＳＢＵＦに格納されている画像情報を送信するための要求信号を、通信手段５０に対して出力する（Ｓ９０８）。
【００９１】
Ｓ９０８の処理に続いて、通信接続している外部装置９０との通信接続を切断するための要求信号を、通信手段５０に対して出力して（Ｓ９０９）、処理を終了する。
【００９２】
このように、本発明に係る通信装置１では、通信エラーが発生した際、宛先情報の登録操作を行った登録者が表示される。このことから、無効となった宛先情報に対する新しい宛先情報の入手が容易になることから、記憶されている宛先情報が無効のまま放置されにくい通信装置を提供することができる。
【００９３】
ここで、本実施の形態に係る通信装置は、上述した図６から図１３に従う処理手順を制御プログラムとしてメモリから読み出して実行する。このような場合、通信装置に読み出される、上述した図６から図１３に従う制御プログラムは、本実施の形態に係る通信装置に付属する記録媒体に予め記録させて、プログラム製品として提供することもできる。このような記録媒体としては、ＣＤ（Ｃｏｍｐａｃｔ  Ｄｉｓｃ）やメモリカードなどの通信装置で読取り可能な記録媒体がある。あるいは、本実施の形態に係る又は通信装置に内蔵するハードディスクなどの記録媒体に記録させて提供することもできる。さらに、インターネットを含む各種ネットワークを介するダウンロードによって提供することもできる。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９５】
１  通信装置
１０  処理手段
１１  主処理部
１２  操作検出部
１３  操作者決定部
１５  宛先情報記憶処理部
１５１  新規登録部
１５２  更新登録部
１６  画像送信部
１７  確認画面表示処理部
１７２  エラー確認部
１９  通信処理部
２０  記憶手段
２１  操作者候補記憶部
２２  宛先情報記憶部
２３  画面情報記憶部
２４  変数情報記憶部
３０  入力手段
３１  表示手段
３２  計時手段
４０  画像読取手段
５０  通信手段
８０  通信網
９０  外部装置  
【図１】
0006010329.tif 000002
【図２】
0006010329.tif 000003
【図３】
0006010329.tif 000004
【図４】
0006010329.tif 000005
【図５】
0006010329.tif 000006
【図６】
0006010329.tif 000007
【図７】
0006010329.tif 000008
【図８】
0006010329.tif 000009
【図９】
0006010329.tif 000010
【図１０】
0006010329.tif 000011
【図１１】
0006010329.tif 000012
【図１２】
0006010329.tif 000013
【図１３】
0006010329.tif 000014
【図１４】
0006010329.tif 000015